(57)【要約】      （修正有）【課題】充電、発光及び音再生機能を有し、フレーム体の組立及び分解を速やかに行なうことができる多機能シェルフを提供する。【解決手段】多機能シェルフ２は、フレーム体３と、２つの無線充電モジュール４と、少なくとも１つの音再生モジュール５と、少なくとも１つの発光部材６と、情報処理モジュール７と、壁掛部材８と、２つのシールドカバー９とを備える。フレーム体は、収容空間３０を有し、少なくとも１つの穿孔３１が上に形成され、嵌合溝が一側縁部に形成される。無線充電モジュールは、フレーム体の収容空間内にそれぞれ設置される。音再生モジュールは、フレーム体の穿孔に嵌設される。発光部材、情報処理モジュールは、フレーム体の収容空間内に設置される。壁掛部材は、一側にリブ８１が延設され、リブがフレーム体の嵌合溝内に嵌着され、フレーム体と結合される。【選択図】図３
0003231961.tif 000002
【実用新案登録請求の範囲】
【請求項１】
フレーム体と、２つの無線充電モジュールと、少なくとも１つの音再生モジュールと、少なくとも１つの発光部材と、情報処理モジュールと、壁掛部材と、２つのシールドカバーと、を備えた多機能シェルフであって、
前記フレーム体は、収容空間を有するとともに、少なくとも１つの穿孔が上に形成され、嵌合溝が一側縁部に形成され、
前記無線充電モジュールは、前記フレーム体の前記収容空間内にそれぞれ設置され、
前記音再生モジュールは、前記フレーム体の前記穿孔に嵌設され、
前記発光部材は、前記フレーム体の前記収容空間内に設置され、
前記情報処理モジュールは、前記フレーム体の前記収容空間内に設置され、
前記壁掛部材は、一側にリブが延設され、前記リブが前記フレーム体の前記嵌合溝内に嵌着されると、前記フレーム体と結合され、
前記シールドカバーは、前記フレーム体の上側及び下側にそれぞれ嵌着されることを特徴とする、多機能シェルフ。
【請求項２】
前記フレーム体は、金属材料からなることを特徴とする請求項１に記載の多機能シェルフ。
【請求項３】
前記フレーム体の前記穿孔内には、防水パッキンが配設されることを特徴とする請求項１に記載の多機能シェルフ。
【請求項４】
前記フレーム体の前記収容空間内には、給電モジュールが配設されることを特徴とする請求項１に記載の多機能シェルフ。
【請求項５】
前記フレーム体の外側には、電源線が配設されることを特徴とする請求項１に記載の多機能シェルフ。
【請求項６】
前記発光部材は、多色発光ダイオードであることを特徴とする請求項１に記載の多機能シェルフ。
【請求項７】
前記フレーム体の上側に嵌着された前記シールドカバー上には、スイッチが配設されていることを特徴とする請求項１に記載の多機能シェルフ。
【請求項８】
前記シールドカバーは、透光材料からなることを特徴とする請求項１に記載の多機能シェルフ。
【考案の詳細な説明】
【技術分野】
【０００１】
本考案は、多機能シェルフに関し、特に、充電、発光及び音再生機能を有する多機能シェルフに関する。
【背景技術】
【０００２】
自宅、事務室又は作業空間では、立体垂直方式により広い物品設置空間を得るために、壁面上にシェルフが設置されることが多い。図１に示すように、従来のシェルフ１は、少なくとも１つのサポート１１を介して壁面上に設置されていたため、物品をシェルフ１上に置くことができるが、シェルフ１は物品を置く機能しかなく、シェルフ１は一定の色又は外観デザインであったため、その他の機能を使用者に提供することはできなかった。また、大部分のシェルフ１は、木製であるため、一定期間使用した後、環境の影響により湿気ってしまうか、長期間、物品の重量を受けることにより、シェルフ１が破損又は破断してしまい、シェルフ１がサポート１１を介して壁面上に設置されていたため、組立てに手間と時間がかかった。そのため、上述したような問題点を改善し、物品を載置する機能の他、他の機能も有する多機能シェルフが求められていた。
【０００３】
そこで、本考案者は、上記課題を解決するための鋭意検討を重ねた結果、本考案に想到するに至った。
【考案の概要】
【考案が解決しようとする課題】
【０００４】
本考案の主な目的は、無線充電モジュール、音再生モジュール及び発光部材により、物品を載置することができる他、無線充電、音再生及び視角効果を発生させる機能を有し、フレーム体の嵌合溝と壁掛部材のリブとを結合させる設計により、使用者はフレーム体の組立及び分解を速やかに行うことができる多機能シェルフを提供することにある。
【課題を解決するための手段】
【０００５】
上記課題を解決するために、本考案の第１の形態によれば、フレーム体と、２つの無線充電モジュールと、少なくとも１つの音再生モジュールと、少なくとも１つの発光部材と、情報処理モジュールと、壁掛部材と、２つのシールドカバーと、を備えた多機能シェルフであって、前記フレーム体は、収容空間を有するとともに、少なくとも１つの穿孔が上に形成され、嵌合溝が一側縁部に形成され、前記無線充電モジュールは、前記フレーム体の前記収容空間内にそれぞれ設置され、前記音再生モジュールは、前記フレーム体の前記穿孔に嵌設され、前記発光部材は、前記フレーム体の前記収容空間内に設置され、前記情報処理モジュールは、前記フレーム体の前記収容空間内に設置され、前記壁掛部材は、一側にリブが延設され、前記リブが前記フレーム体の前記嵌合溝内に嵌着されると、前記フレーム体と結合され、前記シールドカバーは、前記フレーム体の上側及び下側にそれぞれ嵌着されることを特徴とする、多機能シェルフを提供する。
【考案の効果】
【０００６】
本考案の多機能シェルフは、無線充電モジュール、音再生モジュール及び発光部材により、物品を載置することができる他、無線充電、音再生及び視角効果を発生させる機能を有し、フレーム体の嵌合溝と壁掛部材のリブとを結合させる設計により、使用者はフレーム体の組立及び分解を速やかに行うことができる。
【図面の簡単な説明】
【０００７】
【図１】図１は、従来のシェラフの使用状態の説明図。
【図２】図２は、本考案の一実施形態に係る多機能シェルフを示す斜視図。
【図３】図３は、本考案の一実施形態に係る多機能シェルフを示す分解斜視図。
【図４】図４は、本考案の一実施形態に係る多機能シェルフを示す断面図。
【図５】図５は、本考案の一実施形態に係る多機能シェルフの使用状態の説明図（１）。
【図６】図６は、本考案の一実施形態に係る多機能シェルフの使用状態の説明図（２）。
【図７】図７は、本考案の一実施形態に係る多機能シェルフの使用状態の説明図（３）。
【図８】図８は、本考案の一実施形態に係る多機能シェルフの使用状態の説明図（４）。
【図９】図９は、本考案の一実施形態に係る多機能シェルフの使用状態の説明図（５）。
【考案を実施するための形態】
【０００８】
本考案の技術手段及びそれにより達成可能な効果を、より完全かつ明白に開示するために、開示した添付の図面及び符号と併せて本考案を以下で詳説する。
【０００９】
図２〜図８を参照する。図２〜図８に示すように、本考案の一実施形態に係る多機能シェルフ２は、少なくともフレーム体３と、２つの無線充電モジュール４と、少なくとも１つの音再生モジュール５と、少なくとも１つの発光部材６と、情報処理モジュール７と、壁掛部材８と、２つのシールドカバー９と、から構成されてなる。
【００１０】
フレーム体３は、収容空間３０を有するとともに、少なくとも１つの穿孔３１が上に形成され、嵌合溝３２が一側縁部に形成されている。
２つの無線充電モジュール４は、フレーム体３の収容空間３０内に設置される。
少なくとも１つの音再生モジュール５は、フレーム体３の穿孔３１に嵌設される。
少なくとも１つの発光部材６は、フレーム体３の収容空間３０内に設置される。
情報処理モジュール７は、フレーム体３の収容空間３０内に設置される。
壁掛部材８は、一側にリブ８１が延設され、リブ８１がフレーム体３の嵌合溝３２内に嵌着されると、フレーム体３と結合される。
２つのシールドカバー９は、フレーム体３の上側及び下側にそれぞれ嵌着される。
【００１１】
フレーム体３は、金属材料からなる。
フレーム体３の穿孔３１内には、防水パッキン３１１が配設される。
フレーム体３の収容空間３０内には、給電モジュール３３が配設される。
フレーム体３の外側には、電源線３４が配設される。
発光部材６は、多色発光ダイオードである。
フレーム体３の上側に嵌着されたシールドカバー９上には、スイッチ９１が配設されている。
２つのシールドカバー９は、透光材料からなる。
【００１２】
本実施形態の多機能シェルフ２を実際に取付ける場合、複数の固定孔８２を介して壁掛部材８を壁面上に取付けてから、壁掛部材８の一側に延設されたリブ８１をフレーム体３の嵌合溝３２内に嵌着させ、フレーム体３と壁掛部材８とを結合させることにより、フレーム体３を壁面上に強固に設置し、使用者は物品をフレーム体３上に載置して収容することができる。
【００１３】
フレーム体３の収容空間３０には、２つの無線充電モジュール４が配設されているため、使用者がスマート型携帯装置Ａをフレーム体３上に載置すると、無線充電モジュール４によりスマート型携帯装置Ａを充電することができる。
【００１４】
また、フレーム体３の収容空間３０内に設置された情報処理モジュール７は、無線方式によりスマート型携帯装置Ａ又は他の外部装置に接続され、音再生モジュール５により音再生を行うことができる。勿論、音再生モジュール５は、スマート型携帯装置Ａが満充電となるか給電モジュール３３の電力が足りなくなったときに警告音を発して使用者に知らせてもよい。
【００１５】
また、フレーム体３の収容空間３０内に配設された発光部材６は、発光部材６の発光効果により、フレーム体３の上下側に嵌着された２つのシールドカバー９上に光を照射すると、シールドカバー９が透光材料からなっているため、装飾効果及び視角効果が得られる。
【００１６】
また、フレーム体３の上側のシールドカバー９上に設置したスイッチ９１は、無線充電モジュール４、音再生モジュール５及び発光部材６をオン又はオフするために用い、上述した機能が必要ない場合、スイッチ９１をオフすることにより消費電力を減らすことができる。
【００１７】
また、フレーム体３の収容空間３０内に配設された給電モジュール３３は、無線充電モジュール４、音再生モジュール５及び発光部材６に必要な電力を供給するために用いるが、勿論、フレーム体３の外側に設けられた電源線３４により、給電モジュール３３を充電するか、電源線３４を商用電源に挿入し、電源線３４により無線充電モジュール４、音再生モジュール５及び発光部材６に必要な電力を直接供給してもよい。上述した２種類の電力供給方式は、情報処理モジュール７により判断してもよい。
【００１８】
また、フレーム体３の穿孔３１内には、防水パッキン３１１がさらに配設され、音再生モジュール５がフレーム体３の穿孔３１内に嵌着された後、外界の水、異物又は埃が穿孔３１からフレーム体３内に進入することを防いで防水機能及び防塵機能を得て、防水パッキン３１１により音再生モジュール５と穿孔３１との密着度を高め、音再生モジュール５が穿孔３１から外れることを防ぐ。
【００１９】
また、壁掛部材８のリブ８１がフレーム体３の嵌合溝３２内に嵌着されて両者が結合されているため、両者の密着度が高まり、フレーム体３が外れ落ちることを防ぐことができる。このような構造により、使用者はフレーム体３を速やかに取付けたり、フレーム体３を取外してその内部の部材のメンテナンス又は交換を容易に行ったりすることができる。
【００２０】
発光部材６は多色発光ダイオードであり、フレーム体３上のシールドカバー９に設けられたスイッチ９１により発光部材６の発光モードを切換えることができる。例えば、同時多色発光モード、間歇的に色を変化させるモード、単色発光モードなどにし、情報処理モジュール７がスマート型携帯装置Ａ又は他の外部装置と接続されているため、スマート型携帯装置Ａ又は他の外部装置により発光部材６の発光モードを制御することができる。勿論、発光部材６はスマート型携帯装置Ａが満充電となったときに、特定の発光モードにより使用者に知らせるか、給電モジュール３３が電力不足となったときに警告音を発するように設定してもよい。
【００２１】
上述した音再生モジュール５及び発光部材６は、単独の機能又はモードを提供する以外に、音再生モジュール５と発光部材６とを組み合わせて使用してもよい。ここで音再生モジュール５及び発光部材６のモードは、本考案の範囲内に含まれない。
【００２２】
また、視角効果に悪影響を与えないように、音再生モジュール５はフレーム体３の収容空間３０内に直接設置してもよいし、音再生モジュール５をさらに増設する場合、増設する音再生モジュール５をフレーム体３の収容空間３０内に配設してもよい。
【００２３】
また、フレーム体３が金属材料からなるため、フレーム体３に載置できる物品の重量を増やすことができる他、フレーム体３全体の使用寿命を延ばすこともできる。
【００２４】
上述したことから分かるように、本考案の多機能シェルフ２は、従来技術のシェルフと比べ、無線充電モジュール４、音再生モジュール５及び発光部材６により、物品を載置することができる他、無線充電、音再生及び視角効果を発生させる機能を有し、フレーム体３の嵌合溝３２と壁掛部材８のリブ８１とを結合させる設計により、使用者はフレーム体３の組立及び分解を速やかに行うことができる。
【００２５】
当該分野の当業者にとって理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２６】
１  シェルフ
２  多機能シェルフ
３  フレーム体
４  無線充電モジュール
５  音再生モジュール
６  発光部材
７  情報処理モジュール
８  壁掛部材
９  シールドカバー
１１  サポート
３０  収容空間
３１  穿孔
３２  嵌合溝
３３  給電モジュール
３４  電源線
８１  リブ
８２  固定孔
９１  スイッチ
３１１  防水パッキン
Ａ  スマート型携帯装置
【図１】
0003231961.tif 000003
【図２】
0003231961.tif 000004
【図３】
0003231961.tif 000005
【図４】
0003231961.tif 000006
【図５】
0003231961.tif 000007
【図６】
0003231961.tif 000008
【図７】
0003231961.tif 000009
【図８】
0003231961.tif 000010
【図９】
0003231961.tif 000011